【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
入射した赤外線を光電変換する赤外検出素子が１次元に配列され、クロックに合わせて電荷を出力する１次元アレー赤外線検出器と、
前記１次元アレー赤外線検出器からクロックに合わせて出力される電荷を積分する加算部と、
前記クロック回数が決められた値になったときに、データ出力信号を出力するクロックカウンターと、を備え、
前記加算部は、前記クロックカウンターからのデータ出力信号に基づき、積分した電荷を出力する赤外線撮像装置。
【請求項２】
赤外線を集光する光学系と、前記光学系で集光された赤外線を反射させるスキャナと、前記スキャナのスキャン速度を制御するスキャナ速度制御器と、前記スキャナで反射された赤外線を光電変換する赤外検出素子が１次元に配列された１次元アレー赤外線検出器と、前記１次元アレー赤外線検出器の信号をＡ／Ｄ変換するＡ／Ｄ変換器と、前記１次元アレー赤外線検出器の読出しクロックを発生するクロック発生器と、前記クロック発生器の出力から前記１次元アレー赤外線検出器の読出し回数をカウントし、カウント回数を出力するクロックカウンターと、前記Ａ／Ｄ変換器の出力を前記クロックカウンターの出力を元に任意の回数だけ積分する加算部とを備えたことを特徴とする赤外線撮像装置。
【請求項３】
赤外線を集光する光学系と、前記光学系で集光された赤外線を反射させるスキャナと、前記スキャナのスキャン速度を制御するスキャナ速度制御器と、前記スキャナで反射された赤外線を光電変換する、ＴＤＩ（ＴｉｍｅＤｅｌａｙ  ａｎｄ  Ｉｎｔｅｇｒａｔｉｏｎ）用に複数の赤外線検出素子をスキャン方向に配列したＴＤＩ素子配列赤外線検出器と、前記ＴＤＩ素子配列赤外線検出器の信号をＡ／Ｄ変換する複数のＡ／Ｄ変換器と、前記ＴＤＩ素子配列赤外線検出器の読出しクロックを発生するクロック発生器と、前記クロック発生器の出力から前記ＴＤＩ素子配列赤外線検出器の読出し回数をカウントし、カウント回数を出力するクロックカウンターと、前記複数のＡ／Ｄ変換器の出力を前記クロックカウンターの出力を元に任意の回数だけ積分する複数の加算部と、前記複数の加算部の出力をスキャン速度によって発生する時間遅れを考慮し複数の加算部
の出力を加算するタイミング調整加算部とを備えたことを特徴とする赤外線撮像装置。
【請求項４】
赤外線を集光する光学系と、モードを変えるモードスイッチと、前記モードスイッチで選択されたモードに応じてモードの情報を伝達するモード判別器と、前記光学系で集光された赤外線を反射させるスキャナと、前記モード判別器の出力に応じて前記スキャナの速度を制御するスキャナ速度制御部と、前記スキャナで反射された赤外線を光電変換する赤外線素子が１次元に配列された１次元アレー赤外線検出器と、前記１次元アレー赤外線検出器の信号をＡ／Ｄ変換するＡ／Ｄ変換器と、前記１次元アレー赤外線検出器の読出しクロックを発生するクロック発生器と、前記クロック発生器の出力から前記１次元アレー赤外線検出器の読出し回数をカウントし、前記モード判別器の出力に応じて積分回数と現在の積分回数とを出力するクロックカウンター部と、前記Ａ／Ｄ変換器の出力を前記クロックカウンター部から出力された積分回数分だけ積分する加算演算部とを備えたことを特徴とする赤外線撮像装置。
【請求項５】
赤外線を集光する光学系と、モードを変えるモードスイッチと、前記モードスイッチで選択されたモードに応じてモードの情報を伝達するモード判別器と、前記光学系で集光された赤外線を反射させるスキャナと、前記モード判別器の出力に応じて前記スキャナの速度を制御するスキャナ速度制御部と、前記スキャナで反射された赤外線を光電変換するＴＤＩ用に複数の赤外線検出素子をスキャン方向に配列したＴＤＩ素子配列赤外線検出器と、前記ＴＤＩ素子配列赤外線検出器の信号をＡ／Ｄ変換する複数のＡ／Ｄ変換器と、前記ＴＤＩ素子配列赤外線検出器の読出しクロックを発生するクロック発生器と、前記クロック発生器の出力から前記ＴＤＩ素子配列赤外線検出器の読出し回数をカウントし、前記モード判別器の出力に応じて積分回数と現在の積分回数とを出力するクロツクカウンター部と、前記複数のＡ／Ｄ変換器の出力をクロックカウンター部から出
力された積分回数分だけ積分する複数の加算演算部と、前記複数の加算演算部の出力をスキャン速度によって発生する時間遅れを考慮し加算するタイミング調整加算部とを備えたことを特徴とする赤外線撮像装置。
【請求項６】
加算演算部での加算回数を減らしスキャンするモードと、加算演算部での加算回数を前記モードより増やしてスキャンするスキャンモードとを備えたことを特徴とする請求項４、５のいずれかに記載の赤外線撮像装置。
【請求項７】
加算演算部での加算回数を減らしたスキャンモードと、加算演算部での加算回数を前記回数より増やしたスキャンモードとを時分割で切り替えるモードを備えたことを特徴とする請求項４、５のいずれかに記載の赤外線撮像装置。
【請求項８】
赤外線を集光する光学系と、モードを変えるモードスイッチと、前記モードスイッチで選択されたモードの情報を伝達するモード判別器と、前記光学系で集光された赤外線を反射させるスキャナと、前記モード判別器の出力に応じて前記スキャナの速度を制御するスキャナ速度制御部と、前記スキャナで反射された赤外線を光電変換する１次元に赤外検出素子が配列された１次元アレー赤外線検出器と、前記１次元アレー赤外線検出器の信号をＡ／Ｄ変換するＡ／Ｄ変換器と、前記１次元アレー赤外線検出器の読出しクロックを発生するクロック発生器と、前記クロック発生器の出力から前記１次元アレー赤外線検出器の読出し回数をカウントし、前記モード判別器の出力に応じて積分回数と現在の積分回数とを出力するクロックカウンター部と、前記Ａ／Ｄ変換器の出力を前記クロックカウンター部から出力された積分回数分だけ積分する加算演算部と、前記モード判別器の出力を元に目標を自動検出しシンボルとして表示する画面とするか外界からの赤外光をそのまま表示する画面とするかを判定し、信号処理して画像信号を出力する目標検出・追尾／画像表示部とを備えたことを特徴とする赤外線撮像装置。
【請求項９】
赤外線を集光する光学系と、モードを変えるモードスイッチと、前記モードスイッチで選択されたモードの情報を伝達するモード判別器と、前記光学系で集光された赤外線を反射させるスキャナと、前記モード判別器の出力に応じて前記スキャナの速度を制御するスキャナ速度制御部と、前記スキャナで反射された赤外線を光電変換するＴＤＩ用に複数の赤外線検出素子をスキャン方向に配列したＴＤＩ素子配列赤外線検出器と、前記ＴＤＩ素子配列赤外線検出器の信号をＡ／Ｄ変換する複数Ａ／Ｄ変換器と、前記ＴＤＩ素子配列赤外線検出器の読出しクロックを発生するクロック発生器と、前記クロック発生器の出力から前記ＴＤＩ素子配列赤外線検出器の読出し回数をカウントし、前記モード判別器の出力に応じて積分回数及び現在の積分回数とを出力するクロックカウンター部と、前記複数Ａ／Ｄ変換器の出力を前記クロックカウンター部から出力された積分回数分だけ積分する加算演算部と、前記加算演算部の出力をスキャン速度によって発生する時間遅れを考慮し加算部の出力を加算するタイミング調整加算部と、モード判別器の出力を元に目標を自動検出しシンボルとして表示する画面とするか外界からの赤外光をそのまま表示する画面とするかを判定し、信号処理して画像信号を出力する目標検出・追尾／画像表示部とを備えたことを特徴とする赤外線撮像装置。